(57)【要約】  【課題】  表示パネル１と信号基板２とを少ない工数で圧着し、装置の製造効率を向上させる。  【解決手段】  表示パネル１上の複数の端子と信号基板２とを、複数の圧着部材（ＴＣＰ３、ＦＰＣ４）を介して接続する。上記複数の端子は、ＴＣＰ３に対応する端子群１１と、ＦＰＣ４に対応する端子群１２とで構成されている。端子群１１・１２の各端子は、表示パネル１の同一辺に沿って配置されている。これにより、各端子の配置位置に対応してＴＣＰ３およびＦＰＣ４を表示パネル１の同一辺に沿うように並べて、表示パネル１と信号基板２とを接続することが可能となる。したがって、表示装置の製造工程としては、表示パネル１と全ての圧着部材とを圧着接続する工程と、全ての圧着部材と信号基板２とを圧着接続する工程との２工程だけで済む。【選択図】      図１
2005084535.tif 000002
【特許請求の範囲】
【請求項１】
表示パネル上の複数の端子と信号基板とが複数の圧着部材を介して接続される表示装置であって、
上記複数の端子は、上記表示パネルの同一辺に沿って配置されていることを特徴とする表示装置。
【請求項２】
上記表示パネルは、ゲートドライバが絶縁基板上にモノリシックに形成されてなっていることを特徴とする請求項１に記載の表示装置。
【請求項３】
各端子は、複数の圧着部材のそれぞれに対応して設けられており、
いずれかの圧着部材に対応する端子群を第１の端子群とし、他の圧着部材に対応する端子群を第２の端子群とすると、
第１の端子群の端子のピッチは、第２の端子群の端子のピッチよりも広く設定されていることを特徴とする請求項２に記載の表示装置。
【請求項４】
第１の端子群の端子のピッチは、０．４ｍｍ以上であることを特徴とする請求項３に記載の表示装置。
【請求項５】
第１の端子群は、
テストビデオ信号を入力するためのテストビデオ信号入力端子と、
上記テストビデオ信号の各画素への供給をＯＮ／ＯＦＦするスイッチ素子への制御信号を入力するためのテストビデオ信号イネーブル端子とを含んでいることを特徴とする請求項３または４に記載の表示装置。
【発明の詳細な説明】
【技術分野】
【０００１】
本発明は、ＴＣＰ（Tape Carrier Package）やＦＰＣ（Flexible Printed Circuit）などの圧着部材を介して、表示パネルと信号基板とが接続される表示装置に関するものである。
【背景技術】
【０００２】
従来から、図６や図７に示す構成の表示装置が種々提案されている。例えば、図６で示す表示装置では、表示パネル１０１とゲート基板１０２とが、ゲートドライバＴＣＰ１０３を介して接続されている。また、表示パネル１０１とソース基板１０４とが、ソースドライバＴＣＰ１０５を介して接続されている。ゲート基板１０２とソース基板１０４とは、ＦＰＣ１０６を介して接続されている。
【０００３】
一方、図７は、特許文献１に記載の液晶表示装置の概略の構成を示す平面図である。この液晶表示装置では、ＬＣＤパネル２０１に、水平駆動用のＴＣＰ２０２および垂直駆動用のＴＣＰ２０３が異方性導電フィルムを介して熱圧着で実装されている。また、ＴＣＰ２０２およびＴＣＰ２０３は、半田付けにより接続基板２０４および信号基板２０５にそれぞれ接続されている。接続基板２０４と信号基板２０５とは、ＦＰＣ２０６により接続されている。
【特許文献１】特開平８−４３８４４号公報
【発明の開示】
【発明が解決しようとする課題】
【０００４】
ところが、図６および図７に示す構成では、表示装置を構成する部品点数が多く、また、ＴＣＰやＦＰＣが表示パネルと異なる辺で接続されている。このため、例えば図６の表示装置を製造する場合には、（１）表示パネル１０１・ソースドライバＴＣＰ１０５の圧着工程、（２）表示パネル１０１・ゲートドライバＴＣＰ１０３の圧着工程、（３）ソース基板１０４・ソースドライバＴＣＰ１０５の圧着工程、（４）ゲート基板１０２・ゲートドライバＴＣＰ１０３の圧着工程、（５）ゲート基板１０２・ソース基板１０４のＦＰＣ接続工程というように、個々の製造工程を別々に行う必要が生じる。したがって、従来の表示装置の構成では、装置の製造工数が多くなり、その製造効率が低下するという問題が生ずる。
【０００５】
本発明は、上記の問題点を解決するためになされたものであって、その目的は、表示装置の製造において、表示パネルと信号基板とを少ない工数で圧着でき、装置の製造効率を向上させることができる表示装置を提供することにある。
【課題を解決するための手段】
【０００６】
本発明の表示装置は、表示パネル上の複数の端子と信号基板とが複数の圧着部材を介して接続される表示装置であって、上記複数の端子は、上記表示パネルの同一辺に沿って（直線状に）配置されていることを特徴としている。
【０００７】
上記の構成によれば、各端子の配置位置に対応して複数の圧着部材を表示パネルの同一辺に沿うように並べて、表示パネルと信号基板とを接続することが可能となる。したがって、この場合、表示装置の製造工程としては、表示パネルと全ての圧着部材とを圧着接続する工程と、全ての圧着部材と信号基板とを圧着接続する工程とのたった２工程だけで済む。その結果、装置の製造効率を向上させることができる。
【０００８】
また、上記表示パネルは、ゲートドライバが絶縁基板上にモノリシックに形成されてなっていることが望ましい。この場合、ゲートドライバを搭載した基板を表示パネルとは別個に設ける必要がないので、その分だけ表示パネルのパネル面積を広げることができる。また、ゲートドライバをモノリシックに形成しているので、表示パネル上の上記複数の端子を表示パネル１の同一辺に沿うように容易に集めることができ、この辺側で表示パネルと信号基板とを接続することができる。
【０００９】
また、各端子は、複数の圧着部材のそれぞれに対応して設けられており、いずれかの圧着部材（例えばＦＰＣ）に対応する端子群を第１の端子群とし、他の圧着部材（例えばＴＣＰ）に対応する端子群を第２の端子群とすると、第１の端子群の端子のピッチは、第２の端子群の端子のピッチよりも広く設定されていることが望ましい。このとき、第１の端子群は、テストビデオ信号を入力するためのテストビデオ信号入力端子と、上記テストビデオ信号の各画素への供給をＯＮ／ＯＦＦするスイッチ素子への制御信号を入力するためのテストビデオ信号イネーブル端子とを含んでいてもよい。
【００１０】
このように設定すれば、端子ピッチの広い第１の端子群の端子（例えばテストビデオ信号入力端子およびテストビデオ信号イネーブル端子）を用いて、表示パネル単体でのパネル点灯検査を行うことができる。つまり、点灯検査用外部信号源の出力ピンを、ピッチの広い端子に当てることが可能となるので、表示パネルと信号基板とを各圧着部材を介して接続する前に、表示パネル単体でパネル点灯検査を行うことができる。その結果、表示パネル自体が不良か否かを早期に判断できるので、不良の表示装置の作りこみを減らすことができ、製造コストを節約することができる。
【００１１】
このとき、第１の端子群の端子のピッチが、０．４ｍｍ以上に設定されていれば、点灯検査用外部信号源の出力ピンをそれぞれの端子に容易にかつ確実に当てることができ、表示パネル単体でのパネル点灯検査を確実に実行することができる。
【発明の効果】
【００１２】
本発明によれば、表示装置の製造工程を大幅に短縮・簡略化することができるので、装置の製造効率を向上させることができる。また、広いピッチ（粗いピッチ）の端子のみに点灯検査用外部信号源の出力ピンを一時的に接触させることで、パネル単体での点灯検査ができるので、不良パネルの早期検出により、不良表示装置の作りこみが減り、製造コストを節約することができる。
【発明を実施するための最良の形態】
【００１３】
本発明の実施の一形態について、図面に基づいて説明すれば、以下の通りである。
【００１４】
図２は、本実施形態の表示装置の全体の構成を示す平面図である。この表示装置は、表示パネル（例えば液晶表示パネル）１上の複数の端子と信号基板２とが、複数の圧着部材としてのＴＣＰ３およびＦＰＣ４を介して接続されている。表示パネル１には、ゲートドライバがモノリシックに形成されており、ゲート基板を不要とする分、パネル面積を広げることが可能となっている。
【００１５】
本実施形態では、表示パネル１と信号基板２とは、３個のＴＣＰ３と２個のＦＰＣ４とで接続されている。そして、直線状に並べられた３個のＴＣＰ３を挟むように、それらの両側にＦＰＣ４がそれぞれ配置されている。つまり、ＴＣＰ３およびＦＰＣ４は、表示パネル１の同一辺に沿って直線状にそれぞれ配置され、表示パネル１と信号基板２とを接続している。この構成を実現するため、本実施形態では、表示パネル１上の各端子を以下のように配置している。
【００１６】
図１は、表示パネル１の概略の構成を示す平面図である。表示パネル１には、ＴＣＰ３に対応する端子群１１（第２の端子群）と、ＦＰＣ４に対応する端子群１２（第１の端子群）とが設けられている。端子群１１・１２は、それぞれ複数の端子から構成されているが、その詳細については後述する。本実施形態では、端子群１１・１２は、表示パネル１の同一辺に沿って直線状に配置されている。しかも、端子群１２は、表示パネル１の同一辺に沿って端子群１１を両側から挟む位置に配置されている。
【００１７】
このように、複数の端子、すなわち、ＴＣＰ３に対応する複数の端子（端子群１１の各端子）と、ＦＰＣ４に対応する複数の端子（端子群１２の各端子）とが、表示パネル１の同一辺に沿って直線状に配置されていることにより、表示パネル１と全てのＴＣＰ３およびＦＰＣ４とを同時に圧着接続する工程と、信号基板２と全てのＴＣＰ３およびＦＰＣ４とを同時に圧着接続する工程との２工程により、表示装置を製造することが可能となる。
【００１８】
つまり、ＴＣＰおよびＦＰＣと接続される複数の端子が表示パネル上で異なる辺に設けられていた従来では、（１）表示パネル・ソースドライバＴＣＰの圧着工程、（２）表示パネル・ゲートドライバＴＣＰの圧着工程、（３）ソース基板・ソースドライバＴＣＰの圧着工程、（４）ゲート基板・ゲートドライバＴＣＰの圧着工程、（５）ゲート基板・ソース基板のＦＰＣ接続工程が必要であった。しかし、本発明では、端子群１１・１２が表示パネル１の同一辺に沿って設けられているので、上記した（２）、（４）、（５）の各工程を、（１）、（３）の工程に取り込む、つまり、（１）、（３）の工程と同時に行うことができる。これにより、製造工程を大幅に短縮、簡略化することができ、装置の製造効率を向上させることができる。
【００１９】
次に、上記した端子群１１・１２の詳細について説明する。
【００２０】
図３は、端子群１１・１２の詳細な構成を示す説明図である。端子群１１は、対向電極信号入力端子ＣＯＭと、補助容量電極信号入力端子ＣＳと、ソースバスライン信号入力端子Ｖとを含んで構成されている。ソースバスライン信号入力端子Ｖは、１個の端子群１１につき５１２個設けられており、全部で１５３６個（Ｖ１〜Ｖ５１２、Ｖ５１３〜Ｖ１０２４、Ｖ１０２５〜Ｖ１５３６）となっている。
【００２１】
一方、端子群１２は、対向電極信号入力端子ＣＯＭと、補助容量電極信号入力端子ＣＳと、初期化信号入力端子ＩＮＩＴと、ゲート電源入力端子ＧＶＤＤと、ゲートクロック入力端子ＧＣＫと、ゲートスタートパルス入力端子ＧＳＰと、グランド電位入力端子ＧＮＤと、Ａスイッチ制御信号入力端子ＡＳＷと、Ｂスイッチ制御信号入力端子ＢＳＷと、スイッチ電源入力端子ＳＶＤＤとを含んで構成されている。そして、いずれかの端子群１２は、上記の各端子に加えて、テストビデオ信号入力端子ＴＶＩＤＥＯ１〜６と、テストビデオ信号イネーブル端子ＴＶＥＮとをさらに含んでいる。
【００２２】
ここで、上記した複数の端子のうち、ソースバスライン信号入力端子Ｖ、対向電極信号入力端子ＣＯＭおよび補助容量電極信号入力端子ＣＳ以外の端子を、電源入力端子および制御信号入力端子とも呼ぶことにする。図３より、電源入力端子および制御信号入力端子は、ＦＰＣ４に対応する端子群１２に属している一方、ソースバスライン信号入力端子Ｖは、ＴＣＰ３に対応する端子群１１に属していることは明らかである。このことから、電源入力端子および制御信号入力端子と、ソースバスライン信号入力端子Ｖとは、互いに分離して配置されていると言うことができる。
【００２３】
一方、図４は、表示パネル１に設けられた端子群１１・１２の一部の端子の結線状態を示す回路図である。ソースバスライン信号入力端子Ｖと、Ｒ（赤）・Ｇ（緑）・Ｂ（青）に対応する各画素とを結ぶソースバスライン上には、スイッチ素子ＴＶＳＷが設けられている。このスイッチ素子ＴＶＳＷは、テストビデオ信号イネーブル端子ＴＶＥＮからの信号入力によりＯＮ／ＯＦＦ制御され、テストビデオ信号入力端子ＴＶＩＤＥＯ１〜６から入力されるテストビデオ信号の各画素への供給をＯＮ／ＯＦＦするものである。
【００２４】
また、同図中のＡスイッチ制御信号入力端子ＡＳＷおよびＢスイッチ制御信号入力端子ＢＳＷは、ソースドライバの１本の出力ピンを表示パネル１内の２本のソースバスラインでタイムシェアリングして使用するためのものであり、これらを交互にＯＮすることでそれを実現することができる。
【００２５】
ここで、ＦＰＣ４に対応する端子群１２（図３参照）の各端子は、ＴＣＰ３に対応する端子群１１の各端子のピッチ（例えば数μｍ〜数十μｍ）よりも広いピッチ（例えば数百μｍ以上）で形成されている。本実施形態では、ＦＰＣ４に対応する各端子のピッチは、０．４ｍｍ以上となるように形成されている。
【００２６】
このように、ＦＰＣ４に対応する各端子が、ＴＣＰ３に対応する各端子よりも粗いピッチで形成されていることにより、スイッチ素子ＴＶＳＷをＯＮし、パネル点灯検査用外部信号源の出力ピンを、これらピッチの粗い端子全てに同時に一時的に接触させ、テストビデオ信号入力端子ＴＶＩＤＥＯ１〜６からテストビデオ信号を入力することにより、狭ピッチで配列されたＴＣＰ３に対応する各端子はオープンのままで、表示パネル１単体でのパネル点灯検査を行うことが可能となる。
【００２７】
ここで、従来では、複数の表示パネルがのった大判基板（ガラス）状態で検査を行い、その後は、表示パネルにソースドライバ、ゲートドライバ、信号基板などを接続して個別の表示モジュールに組み上げた後で最終検査を行っていた。これは、表示パネルにゲートドライバが内蔵されていない状態では、表示パネル単体での検査と大判基板状態での検査とで差異がないため、表示パネル単体での検査という発想自体がなかったためである。
【００２８】
しかし、本実施形態の構成によれば、表示パネル１にゲートドライバがモノリシックに形成されているため、表示パネル１と信号基板２とをＴＣＰ３およびＦＰＣ４を介して接続する前に、表示パネル１単体でも点灯検査を行うことが可能となる。したがって、表示パネル１が不良か否かを早期に判断できるので、不良の表示装置の作りこみが減り、製造コストを節約することが可能となる。
【００２９】
つまり、本発明は、表示パネル１にゲートドライバをモノリシックに形成しているからこそ、点灯検査を表示パネル１単体でも行えるという発想に基づき、パネル点灯検査用外部信号源の出力ピンを当てることができるように、ＦＰＣ４に対応する各端子のピッチを広げた点にも特徴があるものである。
【００３０】
特に、ＦＰＣ４に対応する各端子のピッチを、０．４ｍｍ以上とすることで、パネル点灯検査用外部信号源の出力ピンを、各端子に容易にかつ確実に当てることができるので、表示パネル１単体での点灯検査を容易にかつ確実に行うことができる。なお、ＦＰＣ４に対応する各端子のピッチが数百μｍ以上であっても、表示パネル１単体での点灯検査を行うことは可能である。
【００３１】
なお、表示装置を製品として表示させる場合には、テストビデオ信号イネーブル端子ＴＶＥＮよりスイッチ素子ＴＶＳＷを制御してＯＦＦにし、外部（ＴＣＰ３のソースバスライン信号入力端子Ｖ）からのビデオ信号を選択入力させるようにすればよい。
【００３２】
なお、以上では、ＦＰＣ４に対応する端子群１２を、ＴＣＰ３に対応する端子群１２の両側に配置した例について説明したが、例えば、図５に示すように、ＦＰＣ４に対応する端子群１２を、ＴＣＰ３に対応する端子群１２の片側（右端または左端のいずれか一方）にのみ配置する構成であってもよい。また、ＴＣＰ３およびＦＰＣ４の数は、本実施形態で示した数に限定されるわけではない。
【００３３】
なお、本発明の表示装置は、以下のように表現することもできる。
【００３４】
本発明の表示装置は、ゲートドライバが絶縁基板（ガラス）上にモノリシックに形成された表示装置であって、（１）ソースバスライン信号用端子と電源入力端子および制御信号入力端子とが、表示パネル上の同一の一辺に集められているとともに、（ＴＣＰおよびＦＰＣと）一括圧着接続が可能なように同一直接上に配置されており、（２）これら２種類の端子が分離して配置されており、（３）これら２種類の端子のうち、後者についてはパネル単体点灯検査用外部信号源の出力ピンが当てられるような粗いピッチ（例えば０．４ｍｍ以上）で配置されており、（４）さらに粗いピッチの端子には、電源入力端子および制御信号入力端子以外に、テストビデオ信号入力端子およびテストビデオ信号イネーブル端子が含まれている構成である。これにより、粗いピッチの端子のみに点灯検査用外部信号源の出力ピンを当てて点灯検査を行うことができる。
【００３５】
また、本発明の表示装置は、表示パネルと信号基板とが第１の圧着部材（例えばＦＰＣ４）および第２の圧着部材（例えばＴＣＰ３）を介して接続される表示装置であって、上記表示パネルには、第１の圧着部材に対応する複数の端子と、第２の圧着部材に対応する複数の端子とが、上記表示パネルの同一辺に沿って直線状に配置されている構成である。
【００３６】
また、本発明の表示装置は、一方の圧着部材（第１の圧着部材、ＦＰＣ４）に対応する端子のピッチが、他方の圧着部材（第２の圧着部材、ＴＣＰ３）に対応する端子のピッチよりも広く設定されている構成である。
【図面の簡単な説明】
【００３７】
【図１】本発明の実施の一形態に係る表示装置の表示パネルの概略の構成を示す平面図である。
【図２】上記表示装置の全体の構成を示す平面図である。
【図３】上記表示パネルにＴＣＰおよびＦＰＣに対応して設けられる端子群の詳細な構成を示す説明図である。
【図４】上記端子群の一部の端子の結線状態を示す回路図である。
【図５】上記表示パネルの他の構成例を示す平面図である。
【図６】従来の表示装置の概略の構成を示す斜視図である。
【図７】従来の他の表示装置の概略の構成を示す平面図である。
【符号の説明】
【００３８】
１    表示パネル
２    信号基板
３    ＴＣＰ（圧着部材）
４    ＦＰＣ（圧着部材）
１１    端子群（第２の端子群）
１２    端子群（第１の端子群）
ＴＶＩＤＥＯ１〜６    テストビデオ信号入力端子
ＴＶＥＮ              テストビデオ信号イネーブル端子
ＴＶＳＷ              スイッチ素子
【図１】
2005084535.tif 000003
【図２】
2005084535.tif 000004
【図３】
2005084535.tif 000005
【図４】
2005084535.tif 000006
【図５】
2005084535.tif 000007
【図６】
2005084535.tif 000008
【図７】
2005084535.tif 000009